(57)【要約】【課題】従来のコ−スタ−は印刷による装飾であるので、花や木の実や小枝などの自然素材による、立体的にして自然の優しさと趣を演出できるコ−スタ−を提供する。【解決手段】厚紙などによる基盤３の中ほどに、一定の大きさの切り取りミシン目２を施した基盤３を形成し、該基盤３の切り取りミシン目２の外側に、花４や木の実５、小枝６、木の芽７などをバランスよく接着配置した自然物飾り８を設けた装飾コ−スタ−１とする。【選択図】図１
2006142795.tif 000002
【特許請求の範囲】
【請求項１】
自然の趣を有するコ−スタ−であって、薄くても適度に腰の強さのある基盤の中ほどに、一定の大きさの切り取りミシン目を施した前記切り取りミシン目の外側に、花や木の実、小枝、木の芽などの自然物をバランスよく接着配置した自然物飾りを形成した構成を特徴とする立体装飾コ−スタ−。
【請求項２】
自然の趣を有するコ−スタ−であって、つる性植物やアケビのつる茎などを用いて輪状に形成したつる茎リングに、花や木の実、小枝、木の芽などを組み合わせた自然物飾りの下面に、草木の葉による基盤を接着した構成を特徴とする立体装飾コ−スタ−。
【請求項３】
上記する、自然物飾りに取り付ける基盤の素材が、模造の葉で形成される請求項２に記載する立体装飾コ−スタ−。
【発明の詳細な説明】
【技術分野】
【０００１】  本発明は、コ−スタ−に自然の素材である乾燥花や木の実、小枝、木の芽などをバランスよく取り付けた立体装飾コ−スタ−に関する。
【背景技術】
【０００２】  従来、ビ−ルやお酒、ジュ−ス、その他の飲料を飲む際は、コップやグラスの敷物として、紙や木、革、布製など様々な素材による円板状や方形状または皿状のコ−スタ−が提供されている。また本革の表面に接着フイルムを重合するとともに、その上面に天然の押し花やビ−ズを配設した表面に、透明合成樹脂保護層を重合被着して装飾価値を高めたコ−スタ−の技術がある（例えば、参考文献１参照）
【特許文献１】登録実用新案公報第３０２４２２５号（第４〜５頁、図１）
【発明の開示】
【発明が解決しようとする課題】
【０００３】  以上のようなコ−スタ−やその技術が提供されている。しかし、これらのコ−スタ−は以下のような不便や欠点がある。まず従来より提供される様々な素材によるコ−スタ−は、概して平板状か皿状であり、かつ装飾や表示が施されていても印刷による平面的な装飾表示であるため、オリジナル性や個性表現が発揮されないコ−スタ−となり、今日のように多様性を求める中にあってはユ−ザ−の期待に応えられなかった。【０００４】  また登録実用新案３０２４２２５号に開示されるコ−スタ−は、本革の表面に接着フイルムを重合するとともに、その上面に天然の押し花やビ−ズを配設し、その表面に透明合成樹脂保護層を重合被着することにより、装飾価値を高めたコ−スタ−を提供するものであるが、このコ−スタ−においても次のような不便や欠点がある。まず各種の色に着色した本革の表面を接着フイルムで被覆した上面の外縁寄りに、天然の押し花やビ−ズ等を配置するとともに、それらの表面を透明合成樹脂保護層を被着してなる自然素材を装飾手段とするので趣はあるが、本革素材はもとより、接着フイルムで被覆することはコスト高となり、加えて、その上面に配した天然素材の飾りは押し花のみであるため立体感に欠けるとともに、押し花やビ−ズまで透明合成樹脂保護層を施すことは製造する手間が掛かるため、さらにコスト高要因を増すコ−スタ−であり、安価にして広く提供しにくいなどの不便や欠点があった。
【課題を解決するための手段】
【０００５】  本発明は上記する以上のような不便や欠点を解消したコ−スタ−を提供するために、請求項１においては、基盤の中ほどに、一定の大きさの開口穴を形成できる切り取りミシン目を施した基盤を形成し、該基盤の切り取りミシン目の外側に花や木の実、小枝、木の芽などをバランスよく接着配置した自然物飾りを設けることにより、心身ともに安らぎと雰囲気を高められる立体装飾コ−スタ−とする。【０００６】  請求項２においては、つる性植物の茎やアケビの茎などを用いて輪状に形成したつる茎リングに、花や木の実、小枝、木の芽などを組み合わせた自然物飾りの前記つる茎リングの下面に、草木の葉による基盤を接着することで、さらに豪華にして趣の高い立体装飾コ−スタ−とする。【０００７】  請求項３においては、上記するつる茎リングに取り付ける基盤の素材を、草木の模造葉を採用することで、自然の葉と同様の雰囲気を有する立体装飾コ−スタ−を形成する。
【発明の効果】
【０００８】  本発明によるコ−スタ−は、基盤面に自然物の花や木の実、小枝、木の芽などをバランスよく配置接着してなる構成であるので、飲み物を入れたコップやグラスを載置すると、飲食時における雰囲気を高めて心安らぐ気持ちにさせられるとともに、話題の盛り上げやゴジ−ャスにして和み感を醸し出すコ−スタ−となるので、ストレス要因の多い今日にマッチした癒し系商品として提供できる。【０００９】  さらに飾り部材をその地域の自然物を用いた土産品とすれば、旅の想い出や雰囲気を印象付けられるので、販売する側は地域の名を広められ、購入する側は使用するたびに旅の想い出や雰囲気を楽しめることはもとより、特定の人への贈り物や子供の誕生日、親しい人の結婚式などの場合は、記念のカ−ドやプリクラなど添えることで、一層、心象高い飲食の場を演出できるユニ−クなコ−スタ−として使える。【００１０】  さらにコ−スタ−は自然物を配した美しい形態となるので、コ−スタ−以外の用途として壁飾りにしたり、内側に写真を貼って写真飾りとしても使える。また実施例１のタイプは、内側面をミシン目より切り取ればクリスマスのリ−ス様の飾りになり、実施例２タイプの飾りはリング状であるので、前記同様にリ−ス様の飾りとして楽しめるとともに、植木鉢の受け皿や小物入れとしても使える楽しいコ−スタ−となる。
【発明を実施するための最良の形態】
【００１１】  本発明によるコ−スタ−は、オリジナル性や個性を表現し、かつ壁飾り等にも活用できるものとするために、基盤の中ほどに切り取り可能なミシン目を施した外側に、自然の花や木の実、小枝、木の芽などを接着配置することで、自然素材による安らぎ感や雰囲気を高められるオリジナル性の高いコ−スタ−とする。
【実施例１】
【００１２】  本発明による実施例１の装飾コ−スタ−を、図１に示す斜視図と図２に示す中ほど部を切り取った参考斜視図で説明する。実施例１の装飾コ−スタ−１は、方形状を成す厚紙の中ほどに適度な大きさの円形の切り取りミシン目２を施した基盤３を形成し、その基盤３の切り取りミシン目２の外側に、乾燥させた花４や木の実５、小枝６、木の芽７などをバランス良く接着配置した自然物飾り８を成した前記切り取りミシン目２の内側に、防水性の敷き紙９を取り付けて、実施例１の装飾コ−スタ−１を構成する。【００１３】  本実施例による装飾コ−スタ−１は、基盤３の内側に切り取りミシン目２を施した外側に、花４や木の実５、小枝６、木の芽７などの自然物飾り８を有する装飾コ−スタ−１を形成するので、従来に見られるような印刷表示による平面的な装飾でなく、立体的にして変化に富む美しさを表現でき、かつ飾り素材はいずれも自然素材を採用しているので、見た目にも優しく雰囲気も高められる装飾コ−スタ−１を構成する。加えて、そのまま壁飾りとしても美しいが、一定期間使用した後は切り取りミシン目２から内側面を切り取れば、図３に示すように基盤３に開口穴１０を形成するので、クリスマスのリ−ス様を成す飾り物としても活用できるコ−スタ−を形成する。
【実施例２】
【００１４】  実施例２の装飾コ−スタ−を図３に示す斜視図と図４に示す背面斜視図で説明する。本実施例における装飾コ−スタ−１は、自然物飾り８の主材として、草木のつるや茎をなどの素材を採用している。まずつる性植物やアケビなどのつる茎１１を複数本用いて、一定の大きさの輪状に編み上げたつる茎リングを作り、そのつる茎リングに花４や木の実５や小枝６などを組み合わせて成る自然物飾り８を形成し、さらに、その自然物飾り８には、下面を覆う大きさの葉１２を接着してなる基盤３を取り付け、かつ基盤３の内側面に敷き紙９を設けて実施例２の装飾コ−スタ−１を構成する。【００１５】  実施例２による装飾コ−スタ−１は、飾り部材の主材に、つる性植物の茎やアケビなどのつる茎１１をリング状に編み上げるとともに、花４や木の実５、小枝６などを組み合わせた自然物飾り８を形成し、その自然物飾り８のつる茎１１の下側に、基盤３となる大きな葉１２を取り付けた装飾コ−スタ−１であるため、自然物飾り８はさらに立体的にして豪華であるとともに、基盤３も含めて自然素材を用いて一層自然の趣や雰囲気を高められるので、きわめて高いオリジナル性が得られる飾りコ−スタ−１を形成するとともに、実施例１と同様に壁飾りとしても活用できる。尚、リ−ス様の自然物飾り８のつる茎１１に取り付ける基盤３は天然の樹木の葉１２を用いているが、厚紙に枯れ葉模様を印刷したり、合成樹脂素材による模造葉を採用しても差し支えない。【００１６】  本発明は以上のような装飾コ−スタ−１を構成するが、実施例１の基盤３は方形状で切り取りミシン目２は円形であるが、いずれもその形状は任意であり限定されるものではない。さらに基盤３に敷き紙９を設けると見た目にも好ましいが、無くても差し支えないものである。また自然物飾り８の素材は乾燥させた物が好ましいが、水気が少なければ生の素材を採用しても構わないし、またこれらの自然物飾り８の素材は、ここに示した以外のいずれの自然物を採用してもよい。加えてこの自然物飾り８に、例えば、使用済の切手やプリクラや記念カ−ドなどの人工素材を組み合わせても差し支えず、いずれも特に限定するものではない。
【産業上の利用可能性】
【００１７】  本発明による装飾コ−スタ−は、飲料物を入れたコップやグラスなどを載置するためのコ−スタ−であるが、さらに大きな装飾コ−スタ−を形成することにより、植木鉢の受け皿や小物入れなどにも適用できる。
【図面の簡単な説明】
【００１８】
【図１】  本発明による実施例１の装飾コ−スタ−を示す斜視図である。
【図２】  実施例１の装飾コ−スタ−のミシン目を切り取った参考斜視図である。
【図３】  実施例２の装飾コ−スタ−を示す斜視図である。
【図４】  実施例２の装飾コ−スタ−の背面を示す斜視図である。
【符号の説明】
【００１９】  １  装飾コ−スタ−
２  切り取りミシン目
３  基盤
４  花
５  木の実
６  小枝
７  木の芽
８  自然物飾り
９  敷き紙
１０  開口穴
１１  つる茎
１２  葉
【図１】
2006142795.tif 000003
【図２】
2006142795.tif 000004
【図３】
2006142795.tif 000005
【図４】
2006142795.tif 000006